(57)【要約】      （修正有）【課題】十分な排泄や洗浄を行うことができ、使用者に優しい自動排泄処理装置及び使用者装着装置を提供する。【解決手段】下腹部から臀部を覆うほぼＣ字断面図形状に形成されたおむつカップ１０と、おむつカップ１０の外周部に設けられ使用者との間の隙間をシールするシール部材１４とを備え、下腹部を覆う下腹部側被覆部は剛性部材からなり、シール部材１４は、断面形状がほぼ楕円、長円、台形、もしくは長方形の中空柔軟部材からなり、使用者への接触面が最大になるように、下腹部接触部から一方のそけい部接触部、一方のそけい部接触部から臀部接触部、臀部から他方のそけい部接触部、及び他方のそけい部接触部から下腹部接触部にわたってねじれているかまたはそけい部接触部が下腹部接触部より厚いことにより、十分な排泄や洗浄を行うことができ、使用者に優しい自動排泄処理装置及び使用者装着装置を提供できる。【選択図】図１
2008035988.tif 000002
【特許請求の範囲】
【請求項１】
使用者の股間に装着され、排泄物処理装置からの浄水及び乾燥用の空気が供給され、前記排泄物処理装置へ汚水を排出するための使用者装着装置において、
下腹部から臀部を覆うほぼＣ字断面図形状に形成されたおむつカップと、該おむつカップの外周部に設けられ前記使用者との間の隙間をシールするシール部材とを備え、
前記下腹部を覆う下腹部側被覆部は剛性部材からなり、
前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする使用者装着装置。
【請求項２】
使用者の股間に装着され、排泄物処理装置からの浄水及び乾燥用の空気が供給され、前記排泄物処理装置へ汚水を排出するための使用者装着装置において、
下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、
前記下腹部を覆う下腹部側被覆部は剛性部材からなり、
前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする使用者装着装置。
【請求項３】
前記おむつカップは、透明樹脂からなることを特徴とする請求項１または２記載の使用者装着装置。
【請求項４】
使用者の股間に装着され、排泄物処理装置からの浄水及び乾燥用の空気が供給され、前記排泄物処理装置へ汚水を排出するための使用者装着装置を備えた自動排泄処理装置において、
前記使用者装着装置は、下腹部から臀部を覆うほぼＣ字断面図形状に形成されたおむつカップと、該おむつカップの外周部に設けられ前記使用者との間の隙間をシールするシール部材とを備え、
前記下腹部を覆う下腹部側被覆部は剛性部材からなり、
前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする自動排泄処理装置。
【請求項５】
使用者の股間に装着される使用者装着装置に、前記使用者装着装置に加熱手段により加熱された浄水を供給する浄水路、前記使用者装着装置に乾燥用の空気を供給する通風路、及び前記使用者装着装置からの汚水を前記空気ごと排出する汚水路を接続し、前記浄水路、前記通風路、及び前記汚水路を排泄物処理装置に接続した自動排泄処理装置において、
前記使用者装着装置は、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、
前記下腹部側被腹部は剛性部材からなり、
前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする自動排泄処理装置。
【請求項６】
使用者の股間に装着される使用者装着装置と、
一端が前記使用者装着装置に接続され、前記使用者装着装置内で前記使用者の排泄物による汚染を洗浄するため加熱手段により加熱された浄水が通過する浄水路、前記使用者装着装置内への洗浄後の乾燥用の空気が通過する通風路、及び前記使用者装着装置からの汚水が前記空気ごと通過する汚水路を有する複合管と、
前記複合管の他端に接続され、前記浄水を前記使用者装着装置内に供給する給水機構、及び前記使用者装着装置内に乾燥用の空気を供給し、前記汚水路を介して前記汚水を前記空気ごと回収する回収機構を有する排泄物処理装置とを有する自動排泄処理装置において、
前記使用者装着装置は、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、
前記下腹部側被腹部は剛性部材からなり、
前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする自動排泄処理装置。
【請求項７】
前記おむつカップは、透明樹脂からなることを特徴とする請求項４から６のいずれか１項記載の自動排泄処理装置。
【発明の詳細な説明】
【技術分野】
【０００１】
本発明は、寝たきり老人等の高齢者、傷病者、乳幼児等の使用者が装着したままの状態で排泄物を排出処理するための使用者装着装置及び自動排泄処理装置に関する。
【背景技術】
【０００２】
近年、高齢化に伴い介護を必要とする高齢者が急増している。このような急増に伴って家庭、介護施設、あるいは病院等で介護を受けている寝たきり老人等の多くはほとんど自分自身で糞尿（以下、「排泄物」と記す）の処理を行うことができない状況にある。また、乳幼児、重度身体障害者、内臓疾患患者や骨折患者を含むベッド上安静者等の使用者は、ベッドに寝ていなければならないので、自分自身で排泄物を処理することができないという状況下にある。
【０００３】
このため、使用者は、おむつ本体と、おむつ本体の股部に取り付けられたおむつカップとで構成された排泄用装着体と、排泄用装着体を使用者に装着することができるように構成された排泄用装着具とを装着している。
この種の排泄用装着具は、使用後には介護者が使用者からおむつカップを外し、おむつカップ内の排泄物を介護者が人手でトイレに搬送し、排泄物を処理し、おむつカップを洗浄し、再度おむつカップを使用者に装着したり、おむつカップごと廃棄し新たなおむつカップを装着したりしていた。この排泄処理においては臭気の問題や、使用者の体の向きを変えたり、使用者への後処理（拭き取りなど）を行ったり多大な労力を必要としていた。
このため、排泄処理を自動的に行う自動排泄処理装置が要望され、開発されている。
【０００４】
一般に、自動排泄処理装置は、排泄装着体の一部を構成するおむつ本体と、おむつ本体の股部に取り付けられ、排泄装着体の他の一部を構成するおむつカップと、おむつカップに一端が接続され、かつ他端が吸引装置に接続されたホースとを備えている。この自動排泄処理装置は、おむつ本体とおむつカップとを装着した使用者が排泄物の排泄を行った場合おむつカップ内のセンサが排泄物を感知し、吸引装置がホースを介しておむつカップに溜まった排泄物を吸引すると共に、吸引装置は、おむつカップに温水を送っておむつカップ内の汚れを洗浄し、洗浄後の汚水を吸引装置内のタンクに収容し、さらにおむつ本体とおむつカップとに温風を送風してそれらの内部を乾燥するように構成されている（例えば、特許文献１参照）。
【０００５】
この種の自動排泄装置に用いられる排泄装着体としては、Ｃ字断面形状のおむつカップを使用者の股間部に押し当てるようにしたり、ほぼＨ字平面形状のおむつ本体をベッド上に広げ、その上に仰向け状態の使用者の臀部を載せ、おむつ本体で使用者の股間部を包み込むように装着したりしている（例えば、特許文献２参照）。
【特許文献１】特開平１１−５６８９１号公報
【特許文献２】特開２００１−１９０５８３号公報
【発明の開示】
【発明が解決しようとする課題】
【０００６】
しかしながら、使用者ごとにサイズの個人差があり、特に寝たきり老人は股間部がやせていることが多く、おむつカップと使用者との間に隙間が生じて外部に浄水や排泄物が漏れたり、排泄物の吸引排出時におむつカップが収縮して貼り付きが生じたりして十分な排泄や洗浄を行うことができなかった。また、おむつカップの密閉性を向上させるため、おむつカップを使用者に対して強めに装着すると圧迫し、鬱血してしまうという問題があった。
【０００７】
そこで、本発明の目的は、十分な排泄や洗浄を行うことができ、使用者に優しい自動排泄処理装置及び使用者装着装置を提供することにある。
【課題を解決するための手段】
【０００８】
上記課題を解決するために、本発明の請求項１記載の発明は、使用者の股間に装着され、排泄物処理装置からの浄水及び乾燥用の空気が供給され、前記排泄物処理装置へ汚水を排出するための使用者装着装置において、下腹部から臀部を覆うほぼＣ字断面図形状に形成されたおむつカップと、該おむつカップの外周部に設けられ前記使用者との間の隙間をシールするシール部材とを備え、前記下腹部を覆う下腹部側被覆部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部から他方のそけい部接触部、及び該他方のそけい部接触部から前記下腹部接触部にわたってねじれているかまたは前記そけい部接触部が前記下腹部接触部より厚いことを特徴とする。
【０００９】
請求項１記載の発明によれば、下腹部から臀部を覆うほぼＣ字断面図形状に形成されたおむつカップと、該おむつカップの外周部に設けられ前記使用者との間の隙間をシールするシール部材とを備え、前記下腹部を覆う下腹部側被覆部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことにより、おむつカップを使用者に装着したときにシール部材が帯状に接触するので、おむつカップ本体と使用者との密着性が向上すると共に、おむつカップの使用者への圧迫感が減少する。また、下腹部側被腹部が剛性部材からなるので、排泄物吸引時に潰れて使用者に貼り付くことがなくなる。この結果、使用者に対して十分な排泄や洗浄を優しく行うことができる。
【００１０】
請求項２記載の発明は、使用者の股間に装着され、排泄物処理装置からの浄水及び乾燥用の空気が供給され、前記排泄物処理装置へ汚水を排出するための使用者装着装置において、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、前記下腹部を覆う下腹部側被覆部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする。
【００１１】
請求項２記載の発明によれば、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、前記下腹部を覆う下腹部側被覆部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことにより、おむつカップの使用者の股間部に密着する部分が帯状となるので、密着性が向上し、下腹部側被腹部が剛性部材からなるので、排泄物吸引時に潰れて使用者に貼り付くことがなくなる。この結果、十分な排泄や洗浄を行うことがすることができる。
【００１２】
請求項３記載の発明は、請求項１または２記載の発明において、前記おむつカップは、透明樹脂からなることを特徴とする。
【００１３】
請求項３記載の発明によれば、おむつカップが透明樹脂からなることにより、使用者装着装置の装着状態、使用者の排泄状態、排便や排尿の色等を外部から観察することができる。
【００１４】
請求項４記載の発明は、使用者の股間に装着され、排泄物処理装置からの浄水及び乾燥用の空気が供給され、前記排泄物処理装置へ汚水を排出するための使用者装着装置を備えた自動排泄処理装置において、前記使用者装着装置は、下腹部から臀部を覆うほぼＣ字断面図形状に形成されたおむつカップと、該おむつカップの外周部に設けられ前記使用者との間の隙間をシールするシール部材とを備え、前記下腹部を覆う下腹部側被覆部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする。
【００１５】
請求項４記載の発明によれば、使用者装着装置は、下腹部から臀部を覆うほぼＣ字断面図形状に形成されたおむつカップと、該おむつカップの外周部に設けられ前記使用者との間の隙間をシールするシール部材とを備え、前記下腹部を覆う下腹部側被覆部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことにより、おむつカップの使用者の股間部に密着する部分が帯状となるので、密着性が向上し、下腹部側被腹部が剛性部材からなるので、排泄物吸引時に潰れて使用者に貼り付くことがなくなる。この結果、十分な排泄や洗浄を行うことがすることができる。
【００１６】
請求項５記載の発明は、使用者の股間に装着される使用者装着装置に、前記使用者装着装置に加熱手段により加熱された浄水を供給する浄水路、前記使用者装着装置に乾燥用の空気を供給する通風路、及び前記使用者装着装置からの汚水を前記空気ごと排出する汚水路を接続し、前記浄水路、前記通風路、及び前記汚水路を排泄物処理装置に接続した自動排泄処理装置において、前記使用者装着装置は、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、前記下腹部側被腹部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする。
【００１７】
請求項５記載の発明によれば、使用者装着装置は、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、前記下腹部側被腹部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことにより、おむつカップの使用者の股間部に密着する部分が帯状となるので、密着性が向上し、下腹部側被腹部が剛性部材からなるので、排泄物吸引時に潰れて使用者に貼り付くことがなくなる。この結果、十分な排泄や洗浄を行うことがすることができる。
【００１８】
請求項６記載の発明は、使用者の股間に装着される使用者装着装置と、一端が前記使用者装着装置に接続され、前記使用者装着装置内で前記使用者の排泄物による汚染を洗浄するため加熱手段により加熱された浄水が通過する浄水路、前記使用者装着装置内への洗浄後の乾燥用の空気が通過する通風路、及び前記使用者装着装置からの汚水が前記空気ごと通過する汚水路を有する複合管と、前記複合管の他端に接続され、前記浄水を前記使用者装着装置内に供給する給水機構、及び前記使用者装着装置内に乾燥用の空気を供給し、前記汚水路を介して前記汚水を前記空気ごと回収する回収機構を有する排泄物処理装置とを有する自動排泄処理装置において、前記使用者装着装置は、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、前記下腹部側被腹部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことを特徴とする。
【００１９】
請求項６記載の発明によれば、使用者装着装置は、下腹部を覆う下腹部側被腹部と、前記浄水路の出口、前記通風路の出口、及び前記汚水路の入口を有する副壁部と、臀部を覆う主壁部とが一体的にほぼＣ字形状に形成されたおむつカップと、該おむつカップの外周部に設けられたシール部材とを備え、前記下腹部側被腹部は剛性部材からなり、前記シール部材は、断面形状がほぼ楕円、長円、台形、もしくは長方形の中空柔軟部材からなり、前記使用者への接触面が最大になるように、下腹部接触部から一方のそけい部接触部、該一方のそけい部接触部から臀部接触部、該臀部接触部から他方のそけい部接触部、及び該他方のそけい部接触部から前記下腹部接触部にわたってねじれているかまたは前記そけい部接触部が前記下腹部接触部より厚いことにより、おむつカップの使用者の股間部に密着する部分が帯状となるので、密着性が向上し、下腹部側被腹部が剛性部材からなるので、排泄物吸引時に潰れて使用者に貼り付くことがなくなる。この結果、十分な排泄や洗浄を行うことがすることができる。
【００２０】
請求項７記載の発明は、請求項４から６のいずれか１項記載の発明において、前記おむつカップは、透明樹脂からなることを特徴とする。
【００２１】
請求項７記載の発明によれば、おむつカップが透明樹脂からなることにより、使用者装着装置の装着状態、使用者の排泄状態、排便や排尿の色等を外部から観察することができる。
【発明の効果】
【００２２】
本発明によれば、下腹部から臀部を覆うほぼＣ字断面図形状に形成されたおむつカップと、おむつカップの外周部に設けられ使用者との間の隙間をシールするシール部材とを備え、下腹部を覆う下腹部側被覆部は剛性部材からなり、シール部材は、断面形状がほぼ楕円、長円、台形、もしくは長方形の中空柔軟部材からなり、使用者への接触面が最大になるように、下腹部接触部から一方のそけい部接触部、一方のそけい部接触部から臀部接触部、臀部から他方のそけい部接触部、及び他方のそけい部接触部から下腹部接触部にわたってねじれているかまたはそけい部接触部が下腹部接触部より厚いことにより、おむつカップを使用者に装着したときにシール部材が帯状に接触するので、おむつカップ本体と使用者との密着性が向上すると共に、おむつカップの使用者への圧迫感が減少する。また、下腹部側被腹部が剛性部材からなるので、排泄物吸引時に潰れて使用者に貼り付くことがなくなる。この結果、使用者に対して十分な排泄や洗浄を優しく行うことができる。
【発明を実施するための最良の形態】
【００２３】
次に、本発明の実施の形態について説明する。
図２は、本発明に係る使用者装着装置を用いた自動排泄装置の一実施の形態を示すブロック図である。
図２に示す自動排泄処理装置１００は、使用者の股間に装着される使用者装着装置２００と、使用者から排泄される排泄物を処理する排泄物処理装置３００と、使用者装着装置２００及び排泄物処理装置３００の統括制御を行う制御装置４００と、データ読取装置５００と、データ送信装置６００とで構成されている。
【００２４】
図３は、本発明に係る使用者装着装置を用いた自動排泄処理装置を示す一実施の形態を示す概念図である。
図３には、自動排泄処理装置１００のうちの、使用者装着装置２００と、排泄物処理装置３００と、複合管７００とについて詳細に示されている。
【００２５】
排泄物処理装置３００は、主に給水機構と、送風機構と、回収機構とで構成されている。
給水機構は、浄水１２０を貯蔵する浄水タンク１２１、浄水タンク１２１から使用者装着装置２００へ浄水１２０を給水するための電磁ポンプ１２２、浄水タンク１２１の下側に設けられ浄水タンク１２１内の浄水１２０を加熱し適切な温度に保温するための加熱手段としてのヒーター１２３、浄水１２０の温度を検知する温度センサ１２４、浄水１２０の水位を検知する水位センサ１２５、及び浄水路１３０、１３１で構成されている。
【００２６】
送風機構は、後述する使用者装着装置の股間部に対して開口された排泄用容器（以下、「おむつカップ」と記す）１０内の乾燥用の空気を使用者装着装置２００に送風するためのブロアー１０１、フィルターエレメント１０５、及びリターンエアーが通る通風路１１０、１１１で構成されている。
フィルターエレメント１０５は、例えば活性炭を用いた交換可能な消臭フィルタを有し、おむつカップ１０から戻ってくる空気の悪臭を除去するようになっている。
ブロアー１０１は、両軸モータＭ１０４と、両軸モータＭ１０４の一方（図では上側）の出力軸に取り付けられた空気循環用のファン１０２と、両軸モータＭの他方（この場合下側）の出力軸に取り付けられた冷却用のファン１０３とで構成されている。
【００２７】
リターンエアーは、排泄物処理装置３００から使用者装着装置２００へ供給される空気であり、サクションエアーは、使用者装着装置２００から排泄物処理装置３００へ吸引される空気である。
図中１４は、本発明に係る使用者装着装置２００のおむつカップ１０に用いられるシール部材である。
【００２８】
ここで、図１（ａ）〜（ｆ）、図４〜図９を参照しておむつカップ１０について説明する。
図１（ａ）は、本発明に係る自動排泄処理装置に用いられる使用者装着装置のおむつカップの部分正面図であり、図１（ｂ）は、図１（ａ）のＩｂ−Ｉｂ線断面図である。図１（ｃ）は、図１（ａ）のＩｃ−Ｉｃ線断面図であり、図１（ｄ）は、図１（ａ）のＩｄ−Ｉｄ線断面図である。図１（ｅ）は、図１（ａ）のＩｅ−Ｉｅ線断面図であり、図１（ｆ）は、図１（ａ）のＩｆ−Ｉｆ線斜視断面図である。
図４は、図２に示した自動排泄処理装置における使用者装着装置を示す外観斜視破断図である。図５は、図４の使用者装着装置を装着した使用者の腰部付近を示す概略図である。図６は、図５の使用者装着装置を装着した使用者の股間部及び腰部付近を示す正面図である。図７（ａ）は、図５の使用者装着装置を装着した使用者の股間部及び腰部付近を示す底面図であり、図７（ｂ）は、図７（ａ）の気水混合部周辺の部分拡大模式図である。図８は、使用者装着装置を装着した使用者の股間部及び腰部付近を示す断面図である。図９は、使用者装着装置を装着した使用者の股間部及び腰部付近を示す斜視断面図である。
尚、図７（ａ）、（ｂ）においてコネクタは省略されている。
【００２９】
おむつカップ１０は、使用者の下腹部から臀部を覆うようにほぼＣ字断面図形状に形成されており、おむつカップ１０の外周部には使用者との間の隙間をシールするシール部材１４を備えている。おむつカップ１０の形状は、いわば瓢箪を縦割りして湾曲させた形状を有している。
【００３０】
シール部材１４は、断面形状がほぼ長方形（楕円、台形、もしくは長円形であってもよい。）の中空柔軟部材（例えば、シリコーンゴム）からなり、下腹部接触部から一方（例えば、左側）のそけい部接触部、一方のそけい部接触部から臀部接触部、臀部接触部から他方（この場合右側）のそけい部接触部、及び他方のそけい部接触部から下腹部接触部にわたってねじれている（但し、本実施の形態ではシール部材１４がねじれた場合で説明しているが、本発明はこれに限定されるものではなく、そけい部接触部が下腹部接触部より厚くなるように構成してもよい）。
すなわち、シール部材１４は、使用者の下腹部、臀部、及びそけい部と接触する面が帯状で接触面積が最大になるように形成されており、中空構造になっているので、使用者への圧迫感が少なくなっている。
図１（ｂ）〜（ｅ）ではシール部材１４の断面形状がほぼ長方形となっているが、装着時にはこの長方形の断面形状が短辺方向に押圧されるようになっている。
下腹部を覆う下腹部側被覆部（男性陰部収納部ともいう）１５は剛性部材（例えば、シール部材１４より剛性の高いシリコーンゴム、もしくはアクリル樹脂）からなっている。
【００３１】
さらに、おむつカップ１０の構造について説明する。
図４〜図９に示すようにおむつカップ１０は、副壁部１２の上端に下腹部側被腹部としての男性陰部収納部１５の基端部を取り付けると共に、主壁部１１に使用者２の腰部（腰骨）２ｂに固定する固定部１６を接着して取り付けている。
男性陰部収納部１５は、おむつカップ１０の嵌合突起部に基端部が嵌合された後、シール面の端部をシール部材１４の端部に接着固定して取り付けられている。これにより、排泄用装着具１はおむつカップ１０から男性陰部収納部１５までのシール性を確保できるようになっている。
【００３２】
固定部１６は、おむつカップ１０に接着固定する固定部本体１６ａと、固定部本体１６ａと、固定部本体１６ａに脱着自在に取り付けられる腰マット部１６ｂとを有する。腰マット部１６ｂは、例えばウレタン素材等により形成され、かつ弾力性を有する。
【００３３】
腰マット部１６ｂと固定部本体１６ａとは、被結合部部材である面ファスナ（図示せず）がそれぞれ貼付されており、固定部本体１６ａに腰マット部１６ｂを脱着自在に結合することが可能である。腰マット部１６ｂは、使用者２の体型に応じて選択することができる。
固定部本体１６ａの背面側には、弾力性を有する材質で形成された体荷重分散マット部１６ｃが設けられている（図８参照）。体荷重分散マット部１６ｃは、中空の円柱体などが複数配置されており、体荷重を分散するように構成されている。中空の円柱体は、体荷重分散マット部１６ｃの基端側中心部から周縁に向かって高さが徐々に低くなるように配置されている。
【００３４】
また、中空の円柱体自体も底面である開口端部が体荷重分散マット部１６ｃの基端側中心部から周縁に向かって高さが低くなるように斜め輪切り状に形成されている。このように構成されている体荷重分散マット部１６ｃにより、おむつカップ１０は、使用者２の腰部２ｂの体荷重が分散されることで、腰部２ｂの鬱血を緩和させることができる。
腰マット部１６ｂには、使用者２の腰部２ｂに排泄用装着体１を装着可能なベルト部１７が縫いつけられて左右に延出している。このベルト部１７の両端部には、面ファスナが添付されており、互いの端部を脱着自在に結合することによって使用者２の腰部２ｂに排泄用装着体１を装着可能である。
【００３５】
ベルト部１７には、男性陰部収納部１５と連結する連結部１８の一端が脱着自在に取り付けられる。連結部１８は、使用者２の体型に応じた長さを有し、かつ伸縮自在である。連結部１８は、使用者２の体型に応じて長さが調節可能な公知のベルトであってもよい。連結部１８の他端は、男性陰部収納部１５に着脱自在に取り付けることができる。
通常、連結部１８は、一端が男性陰部収納部１５に取り付けられており、排泄用装着具１の装着時、他端をベルト部１７に取り付けることで、ベルト部１７と男性陰部収納部１５とを連結して男性陰部収納部１５と固定部１６とを連結する。
使用者装着装置２００は、自動排泄処理装置１００の使用者２の股間部２ａに装着する形状を有し、股間部２ａに対して開口されたおむつカップ１０を有する。
【００３６】
おむつカップ１０は、使用者２の臀部側に配置される主壁部１１と、主壁部１１からほぼ垂直に延出して股間部２ａ側に配置される副壁部１２とを有し、縦方向のみならず横方向もほぼＣ字断面形状を有する。
【００３７】
主壁部１１及び副壁部１２は、ほぼＬ字形状に交差するように一体化され、かつ主壁部１１及び副壁部１２の内面側の両側縁には、股形状に沿って使用者２の股間部２ａのそけい部の肌面に接する開口端部である側壁部１３が一体化されている。側壁部１３は、馬蹄形状に形成され、側壁部１３には、おむつカップ１０を使用者２の股間部２ａに装着したときに、股間部２ａの肌、とくにそけい部と密着するための柔軟なシール部材１４が設けられている。
【００３８】
おむつカップ１０は、副壁部１２とほぼＬ字形状に交差する主壁部１１の内端部側の中央（肛門側）に排泄物吸込口２１を有すると共に、主壁部１１の内端部側とは反対側から排泄物吸込口２１の方向に所定の角度で傾斜した傾斜部を有する。
また、おむつカップ１０には、排泄物吸込口２１に連通する汚水路７０６が主壁部１１の外端面に突出して設けられている。汚水路７０６は、複合管７００を介して排泄物処理装置３００に着脱自在に接続される。
【００３９】
図１（ａ）に示すようにおむつカップ１０には、排泄物を検知するためのセンサ２３（２３−１、２３−２）が設けられている。センサ２３は、主壁部１１の内面の排泄物吸込口２１側に設置されており、尿を検知するセンサ（以下、「尿センサ」と記す）２３−１と、排泄物吸込口２１とは反対側の他端部側から排泄物吸込口２１に向かって傾斜している主壁部１１の傾斜部の底部カバーの内側に設置され、固形物（便、軟便等のいわゆる「糞」）を検知するセンサ２３−２（以下、「糞センサ」と記す）とで構成されている。
【００４０】
また、おむつカップ１０には、図１（ａ）に示すように尿センサ２３−１及び糞センサ２３−２により排泄物（糞尿）の排泄を検知した後、その排泄物の種類（すなわち、糞または尿）に応じて被介護者（使用者）２の肛門、陰部（以下、「洗浄対処部位」と記す）を洗浄するために温水等の流体（以下、「浄水」と記す）を洗浄対象部位に対して噴射する噴射ノズル５０ａ、５０ｂが副壁部１２に設けられ、排泄物、特に便を排出しやすくするためのノズル５０ｃが排泄物吸収口２１とは逆方向、かつ副壁部１２の水平部と垂直部との境界部に沿って浄水を噴射するように設けられている。
【００４１】
副壁部１２の裏側（図８では右側）の噴射ノズル５０ｂの近傍には気水混合部３０６が設けられている。気水混合部３０６は、排泄物処理装置３００から通風路３０２を介して供給された空気と、浄水路３０３を介して供給された浄水とを混合して混相流を生成する。気水混合部３０６の出力側は、３つに分岐され、一方がノズル５０ｂに直結し、他方がチューブ３２０を介してノズル５０ａに接続され、残りがチューブ３２１を介してノズル５０ｃに接続されている。噴射ノズル５０ａ〜５０ｃから噴き出される混相流により排泄物が粉砕され効率的に排出することができる。気水混合部３０６の通風路３０２との連通部３２３は、上側が狭く下側が広い四角錐台形状に形成されているため混相流が通風路３０２に逆流するのを防止することができる。尚、噴射ノズル５０ａ、５０ｂには噴射方向を例えば、上下方向に調整するための噴射方向調整機構を設けても良い。
【００４２】
主壁部１１の先端部（図１（ｆ）の下端）にはほぼＵ字平面形状のチューブ（例えば、シリコーンチューブ）２１３が設けられている。チューブ２１３の中央は、一端（図１（ｆ）では上端）が通風路３０２に接続された通風路３０７の他端に接続されている。チューブ２１３は、その両端は閉じられており、排泄物吸込口２１側に温風口２１０が複数箇所形成されている。温風口２１０から吹き出される温風によりおむつカップ１０が装着された使用者の皮膚を乾燥させるようになっている。
チューブ２１３の上側にはほぼＵ字平面形状の庇状部材（例えば、シリコーン樹脂）２１２が設けられている。庇状部材２１２は、ノズル５０ｃからの浄水（混相流）とチューブ２１３からの空気とを混合する機能と、チューブ２１３の温風口２１０に排泄物が付着するのを防止する機能と、乾燥用の空気のみ吹き出す際に絞り込むことにより流速を増加させて乾燥効率を向上させる機能とを有する。
【００４３】
水路は、排泄物処理装置３００から複合管７００を介して浄水である温水が供給されるように構成されており、尿センサ２３−１及び糞センサ２３−２による排泄物の検知結果に応じて、制御装置４００によって浄水の噴射の強弱を調整すると共に、噴射方向調整機構（図示せず。）を作動させ浄水の噴射方向を使用者の洗浄対象部位の方向に適宜調整することにより、使用者の洗浄対象部位を効率よく洗浄するようになっている。
【００４４】
図３に戻って、ファン１０３の吸気口は排泄物処理装置３００の外部の空気を吸入するようになっており、ファン１０３の排気口は両軸モータＭ１０４自体を冷却すると共に通風路１１４を介して排泄物処理装置３００内の各部を冷却するようになっており、バルブ１０７を開くことにより通風路１１５を介して外部に排気できるようになっている。
【００４５】
ファン１０２の排気口には通風路１１０が接続されており、吸気口にはサクションエアーが通る空気循環用の通風路１１３の一端（図では左側）が接続されている。通風路１１３の他端（この場合右側）には遠心分離機構１２９が接続されている。
【００４６】
回収機構は、汚物タンク１２６、遠心分離機構１２９、通風路１１２、汚水路１３２で構成されている（但し、通風路１１２及び汚水路１３２、後述する通風路３０４及び汚水路３０５、通風路７０５及び汚水路７０６は、いずれも図では個別の通路であるが、実際は空気と汚水とが同時に流れる共通の通路である）。
【００４７】
尚、汚物タンク１２６の底部の配管に設けられた開閉バルブ１２８を開けることにより汚水を排出できるようになっているが、開閉バルブ１２８を設けずに汚物タンク１２６を着脱自在に構成し、汚物タンク１２６を取り外すように構成してもよい。
【００４８】
汚物タンク１２６の上部に設けられた遠心分離機構１２９は、ブロアー１０１により使用者装着装置２００を経由して供給される空気及び電磁ポンプ１２２により使用者装着装置２００を経由して供給される汚水の圧力で垂直な回転軸の周りを回転する回転翼（図示せず）と、回転翼の回転軌道を覆うように配置された下側に広がるテーパ状のスカートとを有する。
この遠心分離機構１２９の遠心力により汚水と空気とを分離して汚物タンク１２６内に汚水１２７を収容し、通風路１１３、１１６を介してブロアー１０１に空気を回収させる。
【００４９】
すなわち、使用者装着装置２００内の汚水を空気ごと排泄物処理装置３００に回収して空気と汚水とを分離し、汚水１２７を汚水タンク１２６に収容し、空気を使用者装着装置２００と排泄物処理装置３００との間で循環させるようになっている。
【００５０】
つまり、浄水タンク１２１内の浄水１２０は、浄水路１３０、電磁ポンプ１２２、浄水路１３１、浄水路７０４、浄水路３０３、ノズル５０ａ〜５０ｃ、排泄物吸込口２１、汚水路３０５、汚水路７０６、汚水路１３２、遠心分離機構１２９を経て汚物タンク１２６に回収される。
【００５１】
おむつカップ１０内の空気は、排泄物吸込口２１、通風路３０４、通風路７０５、通風路１１２、遠心分離機構１２９、汚物タンク１２６、遠心分離機構１２９、通風路１１３、ファン１０２、通風路１１０、フィルターエレメント１０５、通風路１１１、通風路７０３、通風路３０２、温風口２１０を経ておむつカップ１０へと循環される。
【００５２】
使用者装着装置２００は、おむつカップ１０と、おむつカップ１０内に設けられたノズル５０ａ〜５０ｃに接続された浄水路３０３と、温風口２１０に接続された通風路３０２と、汚水吸入口２１に接続され空気が通過する通風路３０４（但し、実際には通風路３０４と汚水路３０５とは共通である）と、汚水吸入口２１に接続され汚水が通過する汚水路３０５と、尿を検知するセンサ２３−１と、便を検知するセンサ２３−２とを備えている。
おむつカップ１０の通風路３０２、３０４、浄水路３０３、及び汚水路３０５の端部側には電気コネクタ２４及びコネクタが接続されている。
【００５３】
排泄物処理装置３００の浄水路１３１の接続口はコネクタにより複合管７００内の浄水路７０４に着脱自在に接続され、浄水路７０４は他のコネクタにより使用者装着装置２００に着脱自在に接続される。
【００５４】
浄水路７０４は、使用者装着装置２００の浄水路３０３を介してノズル５０ａ〜５０ｃに接続されている。
ノズル５０ａ〜５０ｃからは、使用者装着装置２００内で使用者から排出される排泄物２０７に浄水が噴き出されて汚染が洗浄される。
【００５５】
複合管７００は、両端にコネクタをそれぞれ有するフレキシブルな管（例えば、樹脂からなる蛇腹管、コルゲート管もしくはスパイラル管）からなる通風路７０３、同様なフレキシブルな管からなる浄水路７０４、同様なフレキシブルな管からなる通風路７０５、同様なフレキシブルな管からなる汚水路７０６、両センサ２３−１、２３−２と制御用コンピュータ４０２とを接続する信号線７０１、７０２を一括してフレキシブルなホースもしくは筒状のカバー（例えば、ビニル）に収納したものであり、使用者装着装置２００と排泄物処理装置３００とを着脱自在に接続する。複合管７００の長さは、例えば、使用者がベッド上で寝起きでき、脱着しやすい長さ（例えば、３ｍ程度、但し限定されるものではない。）であればよい。
【００５６】
また、複合管７００は、各通風路７０３、７０５、浄水路７０４、汚水路７０６がスパイラル管の場合には通風路７０３、７０５、浄水路７０４、汚水路７０６のいずれかのスパイラル溝内に信号線７０１、７０２を埋設することでコンパクト化を図るように構成してもよい。
【００５７】
これら両軸モータＭ１０４、電磁ポンプ１２２、ヒーター１２３、温度センサ１２４、水位センサ１２５は、制御装置４００の制御用コンピュータ４０２に接続されており、制御用コンピュータ４０２によりブロアー１０１の作動、浄水１２０の温度、浄水１２０の供給、水位等が制御されるようになっている。
操作パネル４０１は、自動排泄物処理装置のオンオフ操作、洗浄や乾燥の自動手動切り替え操作、水温設定等を行うためのスイッチや表示部を有する。
【００５８】
次に、図１０及び図１１の動作フロー図を参照して、洗浄のタイミングについて説明する。
図１０は、図２に示した自動排泄処理装置による洗浄のタイミングを説明するためのフロー図である。
まず、図１０の動作フロー図を参照して、排泄物が尿の場合について説明する。
被介護者（使用者）２が排尿すると、尿センサ２３−１が尿を検知することによりオン（ＯＮ）になり（ステップＳ１０１）、制御装置４００が電磁ポンプ１２２を間欠的に駆動させ（ステップＳ１０２）、おむつカップ１０に浄水が数秒間（例えば、３秒間噴射、２秒秒間停止×５回）ずつ流し、電磁ポンプ１２２を駆動させたままブロアー１０１を駆動させて浄水路１３１、浄水路７０４、及び浄水路３０３を経て噴射ノズル５０ａ〜５０ｃに空気の混合した温水（混相流）を流し（ステップＳ１０３）、噴射ノズル５０ａ、５０ｂから温水を使用者２の洗浄対象部位に向けて噴射して洗浄し、噴射ノズル５０ｃからはおむつカップ１０の主壁部１１の排泄物に向けて噴射して洗浄する。このとき、使用者２にはおむつカップ１０がシール部材１４で十分にかつ優しく密着されている。すなわち、シール部材１４の男性陰部収納部１５側及び臀部側では水平方向に広く、そけい部側では奥行き方向に広く接触するので、水漏れや汚物もれがない。
【００５９】
ノズル５０ａ〜５０ｃから排泄物である尿に対して、温水が噴射されることによりおむつカップ１０内における使用者の尿による汚染を十分に洗浄することができる（ステップＳ１０４）。
排泄物処理装置３００は、おむつカップ１０内に排泄された尿を、洗浄対象部位を洗浄した浄水（汚水）と共に排泄物吸込口２１から吸引して（ステップＳ１０５）、排泄物処理装置３００の内部に設けた汚物タンク１２６へ排出する（ステップＳ１０６）。
【００６０】
使用者２による尿が排泄終了後、制御装置４００により、使用者装着装置２００から温水をおむつカップ１０に一定時間断続的に供給しておむつカップ１０内を洗浄し（ステップＳ１０７）、おむつカップ１０内の洗浄後の汚水を排泄物吸込口２１から吸引し（ステップＳ１０８）、排泄物処理装置３００の内部に設けた汚物タンク１２６に汚水を排出する（ステップＳ１０９）。制御装置４００は、電磁ポンプ１２２を停止し、ブロアー１０１からおむつカップ１０内に温風を送風して使用者２の洗浄対象部位及びおむつカップ１０の内部を乾燥させる。乾燥用の温風がおむつカップ１０内の温風口２１０から吹き出される（ステップＳ１１０）、乾燥に使用した空気を排泄物吸引口２１から吸引し（ステップＳ１１１）、排泄物処理装置３００の内部に設けたフィルターエレメント１０５で空気の悪臭を濾過してブロアー１０１、汚物タンク１２６、及びおむつカップ１０の間を循環させる（ステップＳ１１２）、乾燥処理が完了したならば、制御装置４００によりブロアー１０１をオフ（ＯＦＦ）にして（ステップＳ１１３）、尿の処理を終了する。
【００６１】
次に、図１１の動作フロー図を参照して、排泄物が糞の場合について説明する。
図１１は、図２に示した自動排泄処理装置による洗浄のタイミングを説明するための更なるフロー図である。
被介護者である使用者２が排便すると、便センサ２３−２が便を検知することによりオン（ＯＮ）になり（ステップＳ２０１）、制御装置４００が電磁ポンプ１２２を前述のように間欠的に駆動させ（ステップＳ２０２）、おむつカップ１０に浄水が数秒間流されている間に電磁ポンプ１２２を駆動させたままブロアー１０１を駆動させて浄水路１３１、浄水路７０４、及び浄水路３０３を経て噴射ノズル５０ａ〜５０ｃに温水を流し（ステップＳ２０３）、噴射ノズル５０ａ〜５０ｃから温水を使用者２の洗浄対象部位に向けて噴射して洗浄するので、おむつカップ１０内における使用者の便による汚染を十分に洗浄することができる。
このとき、使用者２にはおむつカップ１０がシール部材１４で優しく、かつ十分に密着されている。すなわち、シール部材１４の男性陰部収納部１５側及び臀部側では水平方向に広く、そけい部側では奥行き方向に広く接触するので、水漏れや汚物もれがない（ステップＳ２０４）。
排泄物処理装置３００は、おむつカップ１０内に排泄された便を、洗浄対象部位を洗浄した浄水（汚水）と共に排泄物吸込口２１から吸引して（ステップＳ２０５）、排泄物処理装置３００の内部に設けた汚物タンク１２６へ排出する（ステップＳ２０６）。
【００６２】
使用者２による便が排泄終了後、制御装置４００により、温水（混相流）をおむつカップ１０に一定時間断続的に供給しておむつカップ１０内を洗浄し（ステップＳ２０７）、おむつカップ１０内の洗浄後の汚水を排泄物吸込口２１から吸引し（ステップＳ２０８）、排泄物処理装置３００の内部に設けた汚物タンク１２６に汚水を排出する（ステップＳ２０９）。制御装置４００は、電磁ポンプ１２２を停止し、ブロアー１０１から使用者装着装置２００内に温風を送風して使用者２の洗浄対象部位及びおむつカップ１０の内部を乾燥させる。乾燥用の温風が洗浄後におむつカップ１０内の温風口２１０から吹き出される（ステップＳ２１０）、乾燥に使用した空気を排泄物吸引口２１から吸引し（ステップＳ２１１）、排泄物処理装置３００の内部に設けたフィルターエレメント１０５で空気の悪臭を濾過してブロアー１０１、汚物タンク１２６、及びおむつカップ１０の間を循環させる（ステップＳ２１２）、乾燥処理が完了したならば、制御装置４００によりブロアー１０１をオフ（ＯＦＦ）にして（ステップＳ２１３）、便の処理を終了する。
【００６３】
ここで、複合管７００の浄水路７０４には、噴射ノズル５０ａ〜５０ｃにより使用者２の洗浄対象部位を洗浄した後、浄水（温水）の残水が滞留するが、この残水の温度は時間の経過と共に常温へと低下する。
温度が低下した浄水による洗浄は、使用者２に不快感を与える。
【００６４】
そこで、浄水路７０４内に残留している浄水（以下、「残留浄水」と記す）をおむつカップ１０の浄水として使用する。すなわち、残留浄水を洗浄時より低い圧力で噴射ノズル５０ａ〜５０ｃからおむつカップ１０に数秒間流すことにより、(a)常に予め設定された温度の浄水が得られるので、使用者２に対して浄水の温度差によってもたらされる不快感を緩和することができ、(b)事前におむつカップ１０内に浄水が流れることにより、おむつカップ１０内の内側表面が湿潤して汚れの付着を防止することができ、(c)噴射ノズル５０ａ〜５０ｃの目詰まりを防止することができる。
【００６５】
おむつカップ１０は、透明な材質で形成されている。すなわち、使用者２の腰臀部に装着するおむつカップ１０の材質を透明なものにすることによって、(1)装着状態の確認；おむつカップ１０が所定の位置に装着されているか否かを目視によって確認でき、(2)排尿、排便、汚れの確認；おむつカップ１０を脱着しなくても排尿、排便及び汚れの有無や状態を確認することができ、(3)機器動作状況の確認；自動排泄処理装置１００を構成する装置・機器の動作状況を確認できる。
【００６６】
上述した自動排泄処理装置１００は、制御装置４００に設けられた操作パネル４０１の画面上に「動作エラー」を表示すると共に、「動作エラーの内容」を公知の音声合成ＬＳＩ（大規模集積回路）の音声によっても使用者２や介護者に報知するように構成されている。
【００６７】
上述した自動排泄処理装置１００は、さらに、図２に示すように、排泄物処理装置３００及び制御装置４００に接続されており、制御装置４００により排泄物処理装置３００によって処理された排泄物に関するデータ、例えば、使用者２の排便回数、排便料、排尿回数、及び排尿量に関するデータを読み取るデータ読取装置５００と、データ読取装置５００で読み取ったデータを送信するデータ送信装置６００とを有する。
【００６８】
データ読取装置５００は、図示しない他の計測装置を接続することにより、排泄物に関するデータ以外のデータ、例えば、血圧、脈拍、ＳｐＯ2、体温、血糖値等に関するデータを読み取るように構成されている。
データ送信装置６００は、データ読取装置５００で読み取ったデータ、いわゆる生体情報に関するデータを有線または無線でインターネットなどの通信網を経由して介護センター、デイサービスセンター、ホームヘルパー、主治医、被介護者の家族等の目的とする場所に送信するように構成されている。
【００６９】
なお、上述した実施の形態は、本発明の好適な実施の形態の一例を示すものであり、本発明はそれに限定されることなく、その要旨を逸脱しない範囲内において、種々変形実施が可能である。
【産業上の利用可能性】
【００７０】
本発明は、本人が自力で排泄できない寝たきり老人等の高齢者、傷病者、乳幼児等を収容する施設や家庭に配置される使用者装着装置及び自動排泄処理装置に利用することができる。
【図面の簡単な説明】
【００７１】
【図１】（ａ）は、本発明に係る自動排泄処理装置に用いられる使用者装着装置のおむつカップの部分正面図であり、（ｂ）は、（ａ）のＩｂ−Ｉｂ線断面図である。（ｃ）は、（ａ）のＩｃ−Ｉｃ線断面図であり、（ｄ）は、（ａ）のＩｄ−Ｉｄ線断面図である。（ｅ）は、（ａ）のＩｅ−Ｉｅ線断面図であり、（ｆ）は、（ａ）のＩｆ−Ｉｆ線斜視断面図である。
【図２】本発明に係る使用者装着装置を用いた自動排泄装置の一実施の形態を示すブロック図である。
【図３】本発明に係る使用者装着装置を用いた自動排泄処理装置を示す一実施の形態を示す概念図である。
【図４】図２に示した自動排泄処理装置における使用者装着装置を示す外観斜視破断図である。
【図５】図４の使用者装着装置を装着した使用者の腰部付近を示す概略図である。
【図６】図５の使用者装着装置を装着した使用者の股間部及び腰部付近を示す正面図である。
【図７】（ａ）は、図５の使用者装着装置を装着した使用者の股間部及び腰部付近を示す底面図であり、（ｂ）は、（ａ）の気水混合部周辺の部分拡大模式図である。
【図８】使用者装着装置を装着した使用者の股間部及び腰部付近を示す断面図である。
【図９】使用者装着装置を装着した使用者の股間部及び腰部付近を示す斜視断面図である。
【図１０】図２に示した自動排泄処理装置による洗浄のタイミングを説明するためのフロー図である。
【図１１】図２に示した自動排泄処理装置による洗浄のタイミングを説明するための更なるフロー図である。
【符号の説明】
【００７２】
１０    おむつカップ
１４    シール部材
２３−１    尿センサ
２３−２    糞センサ
５０ａ〜５０ｃ    ノズル
１００    自動排泄処理装置
１０１    ブロアー
１０５    フィルターエレメント
１１０〜１１５、３０２、３０７、７０３、７０５    通風路
１１７    ドレン排出路
１２０    浄水
１２１    浄水タンク
１２２    電磁ポンプ
１２３    ヒーター
１２４    温度センサ
１２５    水位センサ
１２６    汚物タンク
１２７    汚水
１２９    遠心分離機構
１３０、１３１、３０３、７０４    浄水路
１４１、１４３    カバー
２００    使用者装着装置
２０７    排泄物
２１０    温風口
２１２    庇状部材
２１３    チューブ
２０７    排泄物
３００    排泄物処理装置
３０６    気水混合部
４００    制御装置
４０１    操作パネル
４０２    制御用コンピュータ
５００    データ読取装置
６００    データ送信装置
７００    複合管
７０６    汚水路
【図１】
2008035988.tif 000003
【図２】
2008035988.tif 000004
【図３】
2008035988.tif 000005
【図４】
2008035988.tif 000006
【図５】
2008035988.tif 000007
【図６】
2008035988.tif 000008
【図７】
2008035988.tif 000009
【図８】
2008035988.tif 000010
【図９】
2008035988.tif 000011
【図１０】
2008035988.tif 000012
【図１１】
2008035988.tif 000013